(57)【要約】【課題】診療部位や診療部位までの照射距離が変更となっても調整の操作を行うことなく常に診療者の視線と略同一方向へ光を照射して必要な箇所を確実に照明する。【解決手段】診療者の頭部に装着する装着部材１に診療者の視野前方を照射する投光器３を設け、患者の診療部位を照明しながら診療できるようにした医療用照明器具において、前記装着部材１を診療者の頭部に装着した際に投光器３をそのランプボックス３ｍが診療者の両眼間に配置されるように設け、診療者の視線と略同一方向へ光を照射できるようにした。【選択図】　　　　　図１
0003098051.tif 000002
【実用新案登録請求の範囲】
【請求項１】
診療者の頭部に装着する装着部材に投光器を装着時に診療者の両眼間の中間となる位置に設け、診療者の視線と略同一方向へ光を照射できるようにした医療用照明器具。
【請求項２】
投光器を診療者の視野外へ離退可能に装着部材に設けた請求項１記載の医療用照明器具。
【請求項３】
投光器を装着部材の中央正面に回動可能に軸支し、しかも投光器の投光部分を回動軸より距離をおいた箇所に配設し、使用時は投光器を下向きに回動させて投光部分を診療者の両眼間に配置できるようにし、未使用時は投光器を横向きに回動させて診療者の視野外へ離退できるようにした請求項２記載の医療用照明器具。
【請求項４】
投光器を両眼間に配置した状態で投光器へ通電するスイッチ部を設けた請求項２又は３記載の医療用照明器具。
【請求項５】
投光器にその電源の電池を一体的に設けた請求項１〜４いずれか記載の医療用照明器具。
【請求項６】
投光器の投光部分をその照射方向を上下に調整可能にした請求項１〜５いずれか記載の医療用照明器具。
【請求項７】
装着部材が診療者の頭部外周に挿着するベルトで、頭部の大きさに応じて締め付けを調整可能にした請求項１〜６いずれか記載の医療用照明器具。
【考案の詳細な説明】
【０００１】
【考案の属する技術分野】
本考案は、医療分野において診療者が頭部に装着して患者の診療部位を照明しながら診療できるようにする医療用照明器具に関する。
【０００２】
【従来の技術】
従来、診療者が患者の診療部位を照明しながら診察や治療を行うために、長さや角度が調整自在なアームの先端に電球を組み込んだ照明器具がある。しかし、この照明器具は使用前に照明方向を調整する操作が必要で、しかも診療中に照射方向を変更する際は診療器具を一旦置いて操作するか助手が操作することになり、両手が使えない問題があった。
【０００３】
また、診療者の頭部に装着するヘッドバンド等の装着部材に診療者の頭上又は額面部から視野前方を照射する電球を取り付けた照明器具もある。しかしながら、この照明器具は光源が診療者の頭上又は額面部に有しているから、照射方向が必ずしも診療者の視線とは一致しておらず、使用の都度照射方向の調整が必要であった。
【０００４】
一方、光源の照射方向を診療者の視線と略同一にできる照明器具も提案されている（例えば特許文献１参照）。この装置は診療者の両眼の側部に光源を取り付け、各光源の照射光が視野前方で交叉するように照射角度が設定されたものである。しかしながら、この照明器具も診療部位までの距離が変化する度に照射角度の再調整が必要であった。
【０００５】
【特許文献１】
実用新案登録第３０２２５１２号公報
【０００６】
【考案が解決しようとする課題】
本考案が解決しようとする課題は、従来のこれらの問題点を解消し、診療部位や照射距離が変更されても再調整を行うことなく常に診療者の視線と略同一方向へ照射できるようにした医療用照明器具を提供することにある。
【０００７】
【課題を解決するための手段】
かかる課題を解決した本考案の構成は、
１）　診療者の頭部に装着する装着部材に投光器を装着時に診療者の両眼間の中間となる位置に設け、診療者の視線と略同一方向へ光を照射できるようにした医療用照明器具
２）　投光器を診療者の視野外へ離退可能に装着部材に設けた前記１）記載の医療用照明器具
３）　投光器を装着部材の中央正面に回動可能に軸支し、しかも投光器の投光部分を回動軸より距離をおいた箇所に配設し、使用時は投光器を下向きに回動させて投光部分を診療者の両眼間に配置できるようにし、未使用時は投光器を横向きに回動させて診療者の視野外へ離退できるようにした前記２）記載の医療用照明器具
４）　投光器を両眼間に配置した状態で投光器へ通電するスイッチ部を設けた前記２）又は３）記載の医療用照明器具
５）　投光器にその電源の電池を一体的に設けた前記１）〜４）いずれか記載の医療用照明器具
６）　投光器の投光部分をその照射方向を上下に調整可能にした前記１）〜５）いずれか記載の医療用照明器具
７）　装着部材が診療者の頭部外周に挿着するベルトで、頭部の大きさに応じて締め付けを調整可能にした前記１）〜６）いずれか記載の医療用照明器具
にある。
【０００８】
【作用】
本考案によれば、装着部材を診療者の頭部に装着した際に投光器が診療者の両眼間に配置されるように設けたことで、常に診療者の視線と略同一方向へ光が照射され、診療部位や距離が変化しても診療者が診療部位へ顔を向けるのみで常に必要な箇所を確実に照明できるようになる。
【０００９】
【考案の実施の形態】
本考案では、投光器を診療者の視野外へ離退可能に装着部材に設けると、未使用時に視野の邪魔にならず頭部から外す手間も不要となる。投光器の離退は、投光器を装着部材の中央正面に投光部分と距離をおいた箇所で回動可能に軸支し、使用時は投光器を下向きに回動させて投光部分を診療者の両眼間に配置できるようにし、未使用時は投光器を横向きに回動させて診療者の視野外へ離退できるようにした構成がシンプルで操作が容易となり好ましい。この投光器を両眼間に配置した状態で投光器へ通電するスイッチ部を設けると、投光器自身がスイッチとなり、レバーやボタン等のスイッチ部品を不要にして低コスト化を図ることができる。
【００１０】
また、投光器には電池等の電源を一体的に設けると、コードレスとなり移動が容易となって使い易い器具となる。また、投光器の投光部分をその照射方向を上下に微調整可能にしてもよい。さらに、装着部材としては診療者の頭部外周に装着する安価なベルトが用いられ、頭部の大きさに応じて締め付けを調整可能にするとよい。以下、本考案の実施例を図面に基づいて具体的に説明する。
【００１１】
【実施例】
図１は実施例の医療用照明器具の装着状態を示す斜視図、図２は実施例の投光器の説明図、図３は図２のＡ−Ａ断面図、図４は図２のＢ−Ｂ断面図、図５は実施例の装着部材の説明図、図６は実施例のスイッチの切換を示す説明図、図７は実施例の医療用照明器具の使用状態を示す説明図である。
【００１２】
図中、１は装着部材であって、プラスチック製の細長のベルトからなり、環状となるように両端を重ねて押え片を備えたベルト金具１ａとベルト金具１ｂでそれぞれ固定し、各ベルト金具１ａ，１ｂを反対方向へスライドさせることで装着径を任意に変更できるようにしている。
【００１３】
図中、２はベース板であって、所定厚みを有した板状で、片側を薄肉化して段差２ａを形成し、装着部材１の視野前方側の板面に固着している。２ｂは後述の投光器の固定ピンが嵌挿するガイド溝である。
【００１４】
図中、３は投光器であって、電池穴３ａを２箇所備えた電池ボックス３ｂをベース板２に回転シャフト３ｃで回動自在に軸支し、各電池穴３ａの奥部にスイッチ端子３ｄ，３ｅを接点３ｆ，３ｇが上下に配置されるように取り付け、接点３ｇの下方にスイッチピン３ｈを上下動自在に設け、電池ボックス３ｂの開口側に固定ピン３ｉをガイド溝２ｂに嵌挿させて設け、電池ボックス３ｂの開口に端子３ｊを２箇所取り付けたフタ３ｋを開閉可能に軸支し、フタ３ｋに電球と集光レンズを組み込んだランプボックス３ｍを角度調整自在に軸支し、フタ３ｋの側部にフタ３ｋを閉止させる固定片３ｎを設けている。
【００１５】
本実施例の医療用照明器具は、図１に示すように装着部材１を診療者の頭部の外径に合わせて装着径を調整し、頭部に挿着する。未使用時は図６（ａ），図７（ａ）に示すように投光器３を横方向に回動させ、この状態ではスイッチピン３ｈがベース板２と接していないから接点３ｆ，３ｇが離隔しており、通電がＯＦＦとなっている。
【００１６】
使用時は図６（ｂ），図７（ｂ）に示すように投光器３を縦方向に回動させ、この状態ではスイッチピン３ｈがベース板２の段差２ａと接することで電池ボックス３ｂ内へ挿入されて接点３ｆ，３ｇ同士を当接させ、通電がＯＮとなってランプボックス３ｍが視野前方を照明する。
【００１７】
本実施例はこのように構成したから、使用時にランプボックス３ｍを診療者の両眼の間に且つ視線と略同一高さに配置するようにしたことで、常に診療者の視線と略同一方向へ光が照射されて診療部位が確実に照明される。診療中に診療部位や診療部位までの照射距離が変化しても、診療者は顔を診療部位へ向けるだけで常に必要な箇所が確実に照明され、調整操作を一切必要としない。
【００１８】
また、未使用時は投光器３を横方向へ回動させることで診療者の視野外へ離退でき、照明を必要としない診療その他作業時に視野を邪魔しない。また、その投光器３の回動でランプボックス３ｍへの通電のＯＮ，ＯＦＦを切換するスイッチ機能を兼用させたことで、ボタンやレバー等のスイッチ部品を削減でき、小型軽量低コストの器具となった。さらに、使用後は頭部から外して装着部材１を縮径させれば、コンパクトな形態となってポケット等に収納して容易に持ち運びも可能となる。
【００１９】
図８，９に示すのは投光器を上下スライド自在に設けた実施例の医療用照明器具の他の例である。図８は実施例の他の例の投光器の平面図、図９は実施例の他の例の医療用照明器具の使用状態を示す説明図である。図中、４はベース板、４ａはガイド溝、５は摺動部である。
【００２０】
実施例の他の例では、図８に示すようにガイド溝４ａが縦方向に形成されたベース板４を装着部材１の視野前方の側面に固着し、電池ボックス３ｂの背面に取り付けた摺動部５をガイド溝４ａに嵌入して投光器３を上下スライド自在に取り付けている。未使用時は図９（ａ）に示すように投光器３を上方へスライドさせて離退させ、使用時に投光器３を下方へスライドさせてランプボックス３ｍを両眼間に配置して照明する。その他、符号、構成は実施例と同じである。
【００２１】
【考案の効果】
以上説明したように、本考案によれば診療部位や診療部位までの照射距離が変更となっても調整の操作を行うことなく常に診療者の視線と略同一方向へ光を照射して必要な箇所を確実に照明し得る低コストで使い易い医療用照明器具を提供できる。
【図面の簡単な説明】
【図１】実施例の医療用照明器具の装着状態を示す斜視図である。
【図２】実施例の投光器の説明図である。
【図３】図２のＡ−Ａ断面図である。
【図４】図３のＢ−Ｂ断面図である。
【図５】実施例の装着部材の説明図である。
【図６】実施例のスイッチの切換を示す説明図である。
【図７】実施例の医療用照明器具の使用状態を示す説明図である。
【図８】実施例の他の例の投光器の平面図である。
【図９】実施例の他の例の医療用照明器具の使用状態を示す説明図である。
【符号の説明】
１　装着部材
１ａ，１ｂ　ベルト金具
２　ベース板
２ａ　段差
２ｂ　ガイド溝
３　投光器
３ａ　電池穴
３ｂ　電池ボックス
３ｃ　回転シャフト
３ｄ，３ｅ　スイッチ端子
３ｆ，３ｇ　接点
３ｈ　スイッチピン
３ｉ　固定ピン
３ｊ　端子
３ｋ　フタ
３ｍ　ランプボックス
３ｎ　固定片
４　ベース板
４ａ　ガイド溝
５　摺動部
Ｂ　電池
【図１】
0003098051.tif 000003
【図２】
0003098051.tif 000004
【図３】
0003098051.tif 000005
【図４】
0003098051.tif 000006
【図５】
0003098051.tif 000007
【図６】
0003098051.tif 000008
【図７】
0003098051.tif 000009
【図８】
0003098051.tif 000010
【図９】
0003098051.tif 000011